(57)【特許請求の範囲】
【請求項１】
洗浄剤を含浸させた粘弾性を有する含水性ジェルが、回転自在に設けられたローラ状基材の被清掃物への当接周面に支持されており、被清掃物である網に前記含水性ジェルが加圧されたときの、前記含水性ジェルの変形量が０．５ｍｍ以上であり、前記含水性ジェルが前記粘弾性によって前記被清掃物の網目内に入り込めることを特徴とする網用の清掃用具。
【請求項２】
前記含水性ジェルが、水溶性高分子と架橋剤とを含む請求項１記載の網用の清掃用具。
【請求項３】
前記含水性ジェルが、粘着付与剤を含む請求項１または２記載の網用の清掃用具。
【請求項４】
前記含水性ジェルの表面に複数の凸部が形成されている請求項１ないし３のいずれかに記載の網用の清掃用具。
【請求項５】
シート状の前記含水性ジェルが前記ローラ状基材に巻きつけられており、前記ローラ状基材を被清掃物に沿って転動させたときに、前記含水性ジェルが被清掃物に付着して平面状に展開可能とされた請求項１ないし３のいずれかに記載の網用の清掃用具。
【発明の詳細な説明】
【０００１】
【発明の属する技術分野】
本発明は、網戸やエアコンディショナーのフィルターなどの細かな凹凸を有する被清掃物の汚れ落しに最適な網用の清掃用具に関する。
【０００２】
【従来の技術およびその課題】
網戸やエアコンディショナーのフィルターなどのような、細かな凹凸を有する物の洗浄は流水での水洗いが適しているが、網戸のように取り外しが不可能なものでは、水洗いが難しく、これらを水洗いした後に乾燥するまで時間を要する。またタオル、雑巾などを用いた清掃では、汚れを十分に落とすことができず、また清掃作業に労力を要する。またスプレータイプの洗剤を使用した場合も、タオルや雑巾で拭き取る作業が必要であり、この場合に、網目内に付着した汚れを確実に除去するのは困難である。
【０００３】
本発明は、上記従来の課題を解決するものであり、網戸やフィルターなどの細かな凹凸部の汚れ、特に網目内に付着した汚れを確実に除去できる清掃用具を提供することを目的としている。
【０００４】
【課題を解決するための手段】
本発明は、洗浄剤を含浸させた粘弾性を有する含水性ジェルが、回転自在に設けられたローラ状基材の被清掃物への当接周面に支持されており、被清掃物である網に前記含水性ジェルが加圧されたときの、前記含水性ジェルの変形量が０．５ｍｍ以上であり、前記含水性ジェルが前記粘弾性によって前記被清掃物の網目内に入り込めることを特徴とする網用の清掃用具である。
【０００５】
上記において、前記含水性ジェルは、例えば水溶性高分子と架橋剤とを含むものであり、さらに前記含水性ジェルが、粘着付与剤を含むことが好ましい。
【０００６】
また、本発明の清掃用具の具体的な構造は、前記含水性ジェルが基材に支持されているものである。例えば前記基材を心材とし、その表面に前記含水性ジェルが設けられて、被清掃物に対して転動可能なロール形状とすることが可能である。
【０００７】
この清掃用具では、含水性ジェルに洗浄剤を含ませたものを、細かな凹凸を有する被清掃物に押し付けることにより汚れを効果的に除去できる。含水性ジェルは、含水率が高く且つ粘弾性に富むものが好ましく、さらに所定の粘着性を有するものが好ましく使用される。粘弾性に富む含水性ジェルは、例えば網に押し付けたときに、網目内に入り込みさらには裏面にまで延び、網を構成する線材を包み込むようになる。そして含水性ジェルの粘着力で線材表面の汚れが除去されるが、この汚れは含水性ジェルの内部に含まれるようにして除去される。その結果、細かな凹凸を有する被清掃物に清掃用具を押し付けるという簡単な作業で、汚れを効果的に除去できる。
【０００８】
前記含水性ジェルに含まれる水溶性高分子は、ゼラチン、ポリアクリル酸塩、またはカルボン酸塩などである。塩は、ナトリウム、リチウム、カリウムなどの一価の金属塩が好ましい。前記水溶性高分子は、それぞれ単独でまたは配合して使用することができる。平均重合度は１０００〜１００００のものが使用され、配合量の好ましい範囲は３〜２５重量％、さらに好ましくは、５〜１０重量％である。配合量が前記下限よりも少ないと、ジェルとして形状が不安定になり、且つ吸水性能が低下し、さらに弾性力に劣る。また前記上限よりも多いと、シート状に成形しにくくなり、且つ粘着性が低下する。
【０００９】
架橋剤としては、水酸化アルミニウム、含水ケイ酸アルミニウムなどの水難溶性化合物や、ポリエチレングリコールジグリシジルエーテル、エチレングリコールジグリシジルエーテル、などの多官能性エポキシ化合物などが単独でまたは配合されて用いられる。これら架橋剤を含有することにより、長時間形状の安定性を保ち、吸水機能も継続できるようになる。架橋剤の好ましい配合量は０．０５〜２０重量％、さらに好ましくは１〜１０重量％である。
【００１０】
汚れをジェルの表面に粘着させて汚れを効果的に除去できるようにするために、粘着付与剤が含まれることが好ましい。粘着付与剤は、例えばカゼイン、デキストラン、カルボキシデンプン、カルボキシメチルセルロースなどを例示できる。
【００１１】
含水性ジェルの６０〜９５重量％は水分である。水は精製水、滅菌水などであるが、洗浄効果を高めるために洗浄剤または洗剤の溶液が含まれる。この洗浄剤または洗剤は、一般的に用いられている住居用洗剤が使用され、香料、消臭剤、防腐剤、界面活性剤、溶剤などである。好ましい界面活性剤は、ポリオキシアルキルフェニルエーテルなどの非イオン活性剤、溶剤は、グリコール系溶剤、消臭剤は、緑茶抽出物などの植物性のものが好ましい。さらに必要に応じて、保湿剤、酸化防止剤、防腐剤、紫外線吸収剤などが含まれる。
【００１２】
含水性ジェルの粘弾性の程度であるが、被清掃物が網戸の場合、網の厚さが０．５ｍｍ程度であるため、加圧したときに０．５ｍｍ以上の変形量を有するものであれば、押し付けることによりジェルが網戸の網目内を通って裏側に回り込めるようになる。
【００１３】
含水性ジェルは、基材の表面に積層された状態で取り扱われることが好ましい。基材は、フィルム、不織布などのシート状のもの、あるいは後に説明するロールの心材などである。
【００１４】
【発明の実施の形態】
図１は本発明の清掃用具を示す斜視図、図２はその使用状態を示す部分断面図である。
図１に示す清掃用具１は、柱状の基材２の表面に円筒状の含水性ジェル３が取付けられている。なお、含水性ジェル３は基材２に対して交換自在とされていることが好ましい。前記基材２には軸４が固定されており、軸４は枠体５に回転自在に支持されている。枠体５にはハンドル６が固定されている。
図１に示されている被清掃物は網戸１０である。この清掃用具１を使用するときには、含水性ジェル３を所定の力Ｆで網戸１０に押し付け、ハンドル６をＡ方向へ移動させ、円筒状の含水性ジェル３を網戸１０に転動させる。
【００１５】
このとき、図２に拡大して示すように、含水性ジェル３は網戸１０の網目１０ｂ内にて変形し、網を構成する線材１０ａを巻き込むようにして網戸１０の裏面に延びる。含水性ジェル３は粘弾性を呈するため、図２に示すように弾性的に変形し、且つ線材１０ａに付着している汚れが含水性ジェル３に粘着される。含水性ジェル３が転動して、順次含水性ジェル３が網戸１０から徐々に離れていくと、線材１０ａの表面の汚れが含水性ジェル３に粘着して線材１０ａから離れて除去される。
線材１０ａから離れた含水性ジェル３は自らの弾性力で復元し、このとき既に線材１０ａの表面から剥がされた汚れは、含水性ジェル３内に閉じ込められ、この汚れが線材１０ａに再付着することがない。
【００１６】
図３と図４は、図１に示す清掃用具１の変形例を示している。
図３に示す清掃用具１ａは、含水性ジェル３の表面に軸方向に沿う凸部３ａと溝３ｂとが形成され、この凸部３ａと溝３ｂとが円周方向へ一定のピッチで交互に繰り返されている。また図４に示す清掃用具１ｂは、含水性ジェル３の表面に球面状などの凸部３ｃが規則的にまたはランダムに形成されている。なお、図３において、凸部３ａと溝３ｂとがスパイラル状に形成されていてもよい。
図３および図４に示す清掃用具１ａと１ｂでは、含水性ジェル３の凸部３ａまたは凸部３ｃの表面の弾性変形量が大きいため、被清掃物が比較的大きな凹凸を有するものであっても、前記凸部３ａまたは３ｃが凹部に入り込みやすく、凹部内の汚れを除去しやすくなる。よってこの清掃用具１ａまたは１ｂは、電気製品の操作パネル、電話機のプッシュボタン周辺、さらには受話器の清掃などに適するものとなる。
【００１７】
次に、図５は網戸１０の清掃に特に適した実施の形態を示している。
この清掃用具では、軸４と一体の心材２ａの表面にシート状（板状）の含水性ジェル３ｄが巻付けられている。含水性ジェル３ｄの巻付け側の裏面３ｄ１には、フィルム、不織布などの基材シートが取付けられている。
この清掃用具を使用するときには、シート状の含水性ジェル３ｄの始端３ｄ２を網戸に押し付け、そのまま所定の力Ｆで押し付けながらＡ方向へ転動させる。このとき、含水性ジェル３ｄは軸４および心材２ａの回転に伴って、平面状に展開して、網戸１０に付着していく。
【００１８】
含水性ジェル３ｄが全て網戸１０に付着した時点で、必要に応じて含水性ジェル３ｄを網戸１０に押し付ける。このとき心材２ａをローラとして用いて含水性ジェル３ｄを網戸１０に均一に押し付けてもよい。押し付けが終わった後に、含水性ジェル３ｄを網戸１０から徐々に剥がすが、このとき、心材２ａでシート状の含水性ジェル３ｄを巻き取るようにして剥がしてもよい。
図５に示す清掃用具では、網戸１０のように広い面積の被清掃物を広い範囲で均一に清掃できる。
【００１９】
【実施例】
（含水性ジェルの組成）
・水溶性高分子；ポリアクリル酸ナトリウム（６重量％）
・架橋剤；水酸化アルミニウム（３重量％）
・保湿剤；サクシニルケフィラン（３重量％）
・粘着付与剤；カゼイン（１重量％）
・居住用洗剤の２％水溶液（８０重量％以上）
上記含水性ジェルは、厚さ５ｍｍのシート状。
【００２０】
〔比較例１〕
不織布を８枚重ね、居住用洗剤の２％水溶液を不織布の重量の１．５倍の量で含浸させたもの。
〔比較例２〕
タオル地（綿１００％パイル地）を８枚重ね、居住用洗剤の２％水溶液を不織布の重量の１．５倍の量で含浸させたもの。
〔被清掃物〕
実使用のエアコンデショナーの網状フィルター
〔評価方法〕
図６に示すように、フィルター１０Ａの上に、４．５×４．４ｃｍの実施例および各比較例１３を敷き、その上にシャーレ１４を置き、重さ２５０ｇｆの錘を置いた。
１時間放置した後に、汚れの除去状態を目視で観察した。
【００２１】
〔評価結果〕
本発明の実施例の含水性ジェルを用いたものでは、ジェルが当たった部分と他の部分とでフィルターの表裏両面に渡り、汚れの除去によるコントラストが明瞭であった。
各比較例では、比較例が当たった部分と他の部分との間で多少汚れの差が出る程度の除去状態であり、フィルターの裏面の汚れはほとんど取れなかった。
【００２２】
【発明の効果】
以上のように本発明では、細かな凹凸表面の汚れを効果的に除去できる。しかもジェルを押し付けるだけで清掃ができ、清掃作業が容易である。
【図面の簡単な説明】
【図１】本発明の清掃用具の構造を示す斜視図、
【図２】含水性ジェルによる清掃効果を示す拡大断面図、
【図３】本発明の清掃用具の変形例を示す斜視図、
【図４】本発明の清掃用具の変形例を示す斜視図、
【図５】網戸の清掃に最適な清掃用具の例を示す斜視図、
【図６】実施例と比較例の評価方法を示す説明図、
【符号の説明】
１，１ａ，１ｂ  清掃用具
２  基材、心材
３  含水性ジェル
１０  被清掃物の網戸
１０ａ  線材
１０Ａ  フィルター
【図１】
0003599971.tif 000002
【図２】
0003599971.tif 000003
【図３】
0003599971.tif 000004
【図４】
0003599971.tif 000005
【図５】
0003599971.tif 000006
【図６】
0003599971.tif 000007